(57)【要約】【課題】継ぎ合わせ操作感が良好であって、固着を防止しつつ鳴きを防止できる継式釣竿を提供する。【解決手段】並継式継合部を有する継式釣竿であって、管状の後側竿杆１０の内面適宜位置には、適宜高さを有し、円周方向に離散した複数個の凸部１２が設けられており、該複数個の凸部は、管状の前側竿杆２０の後端部２０Ｅが当接する前後方向適宜長さの当接範囲Ｌを有しており、継合せ時には、管状の後側竿杆１０の前端部が前側竿杆２０の外面に全周に亘って当接すると共に、前側竿管の後端部２０Ｅが前記凸部１２の当接範囲Ｌに位置して当接するよう構成する。【選択図】図２
2011115176.tif 000002
【特許請求の範囲】
【請求項１】
並継式継合部を有する継式釣竿であって、
管状の後側竿杆の内面適宜位置には、適宜高さを有し、円周方向に離散した複数個の凸部が設けられており、
該複数個の凸部は、管状の前側竿杆の後端部が当接する前後方向適宜長さの当接範囲を有しており、
継合せ時には、管状の後側竿杆の前端部が前側竿杆の外面に全周に亘って当接すると共に、前側竿管の後端部が前記凸部の当接範囲に位置して当接する
ことを特徴とする継式釣竿。
【請求項２】
逆並継式継合部を有する継式釣竿であって、
管状の前側竿杆の内面適宜位置には、適宜高さを有し、円周方向に離散した複数個の凸部が設けられており、
該複数個の凸部は、管状の後側竿杆の前端部が当接する前後方向適宜長さの当接範囲を有しており、
継合せ時には、前側竿杆の後端部が後側竿杆の外面に全周に亘って当接すると共に、後側竿管の前端部が前記凸部の当接範囲に位置して当接する
ことを特徴とする継式釣竿。
【発明の詳細な説明】
【技術分野】
【０００１】
本発明は、並継式や逆並継式の継合部を有する継式釣竿に関する。雌側継合部は管状であるが、雄側継合部や夫々の竿杆本体部は管状でも中実でもよい。しかし、本願では継ぎ合わせの竿杆本体部は共に管状とする。
【背景技術】
【０００２】
通常の釣竿は、一本竿ではなく、複数の竿杆を継ぎ合わせる構造を採用している。継ぎ合わせ構造を採用すると、仕舞寸法を短くできる利点を有するが、継合部が固着したり、また、継合部に隙間があって、この隙間の位置に起因して、撓みを受けた際に、所謂、鳴きを生じたりする。本出願人による下記特許文献１には、継合部固着防止の観点から種々の開示がある。特に、その段落番号００２３には、逆並継構造実施例に対し、凸部２２を雌端部１６の内周面の後端側（元方部）に設けることに代え、先端側（先方部）に設けてもよいことが開示されている。また、雄端部２０のテーパよりも緩いテーパ面を、雌端部内面であって、凸部２２の後端部よりも後方側（元側）に形成してもよいことが開示されている。
【先行技術文献】
【特許文献】
【０００３】
【特許文献１】特開２００５−２８７３４９号公報
【発明の概要】
【発明が解決しようとする課題】
【０００４】
しかし、本件発明との関係では、課題の異なる上記特許文献１に開示している範囲は上記範囲までであり、鳴きを防止するためには、継ぎ合わせ状態における雄側継合部の端と雌側継合部の端とが、夫々相手側に当接している必要があるが、特許文献１にはそのような構造は開示されていない。
例えば、特許文献１の図１等に示す逆並継構造において、凸部２２を雌側継合部１６の先方部に位置させた場合であっても、雄側継合部２０の先端対応位置に位置させているのでなければ、該雄側継合部先端と雌側継合部内面との間には隙間が存在する。この場合、雄側継合部撓み剛性が雌側継合部撓み剛性に比べて高いケースを考えてみると、釣竿が撓みを受けた際に、相対的に柔軟な雌側継合部の曲り（曲率）は大きくなるが、雄側継合部の曲りは大きくはならない。このため、雌側継合部内面が雄側継合部先端に当接する状態になる。この時に鳴きが発生するのである。このように、特許文献１の開示範囲では、凸部２２が雄側継合部の端に当接する構造は開示されておらず、必ずしも鳴きを防止できない。
依って解決しようとする課題は、継ぎ合わせ操作感が良好であって、固着を防止しつつ鳴きを防止できる継式釣竿を提供することである。
【課題を解決するための手段】
【０００５】
第１の発明では、並継式継合部を有する継式釣竿であって、
管状の後側竿杆の内面適宜位置には、適宜高さを有し、円周方向に離散した複数個の凸部が設けられており、
該複数個の凸部は、管状の前側竿杆の後端部が当接する前後方向適宜長さの当接範囲を有しており、
継合せ時には、管状の後側竿杆の前端部が前側竿杆の外面に全周に亘って当接すると共に、前側竿管の後端部が前記凸部の当接範囲に位置して当接する
ことを特徴とする継式釣竿を提供する。
【０００６】
第２の発明では、逆並継式継合部を有する継式釣竿であって、
管状の前側竿杆の内面適宜位置には、適宜高さを有し、円周方向に離散した複数個の凸部が設けられており、
該複数個の凸部は、管状の後側竿杆の前端部が当接する前後方向適宜長さの当接範囲を有しており、
継合せ時には、前側竿杆の後端部が後側竿杆の外面に全周に亘って当接すると共に、後側竿管の前端部が前記凸部の当接範囲に位置して当接する
ことを特徴とする継式釣竿を提供する。
【０００７】
その第１発明では、第１の形態例発明として、並継式継合部を有する継式釣竿であって、後側竿杆と前側竿杆が並継式に継ぎ合わせられる前記後側竿杆の雌側継合部における先部領域の内面がストレート又は後細テーパであり、該先部領域に隣接した後側領域の内面が後細テーパであり、前記先部領域内面が後細テーパの場合は、前記後側領域内面の方が急テーパであり、前記後側領域内面の適宜位置には、適宜高さを有し、円周方向に離散した複数個の凸部の夫々が位置しており、前側竿杆の雄側継合部に属する少なくとも前側領域の外面が後細テーパであり、前記先部領域内面が後細テーパの場合は、該雄側継合部の前記後細テーパの方が急テーパであり、前記複数個の凸部は、前記雄側継合部の後端部が当接する前後方向適宜長さの当接範囲を有しており、前記後端部が前記当接範囲の前端に位置している場合は、雌側継合部の先端部内面は雄側継合部外面との間に隙間を有しており、雄側継合部の前記前側領域の外面が雌側継合部の先端部内面と当接する場合、前記後端部は前記当接範囲内に位置していることを特徴とする継式釣竿がある。
【０００８】
本願での後端部とは、後端とほぼ同義であるが、ここでの後端部は面取りされた部分があればそれを含むだけ後端よりも広い。同様に、雌側継合部の先端部も面取り部の範囲までである。また、雄側継合部に属する少なくとも前側領域の外面が後細テーパとは、前側竿杆の雄側継合部は、その前側領域の外面が後細テーパであればよく、その後側領域外面は、ストレートの場合、前側領域とテーパ率の異なるテーパの場合、前側領域と同じテーパ率のテーパの場合（即ち、雄側継合部の外面全体が一定のテーパ率の場合）がある。ここで述べたことは、以下の発明以降でも同様である。
【０００９】
第１発明では、第２の形態例発明として、並継式継合部を有する継式釣竿であって、後側竿杆と前側竿杆が並継式に継ぎ合わせられる前記後側竿杆の雌側継合部の内面が後細テーパであり、該雌側継合部内面の適宜位置には、適宜高さを有し、円周方向に離散した複数個の凸部が設けられており、前側竿杆の雄側継合部に属する少なくとも前側領域の外面が後細テーパであり、前記雌側継合部内面の後細テーパよりも該雄側継合部の前記後細テーパの方が急テーパであり、前記複数個の凸部は、前記雄側継合部の後端部が当接する前後方向適宜長さの当接範囲を有しており、前記後端部が前記当接範囲の前端に位置している場合は、雌側継合部の先端部内面は雄側継合部外面との間に隙間を有しており、雄側継合部の前記前側領域の外面が雌側継合部の先端部内面と当接する場合、前記後端部は前記当接範囲内に位置していることを特徴とする継式釣竿がある。
【００１０】
第２発明では、第３の形態例発明として、逆並継式継合部を有する継式釣竿であって、前側竿杆と後側竿杆が逆並継式に継ぎ合わせられる前記前側竿杆の雌側継合部における後部領域の内面がストレート又は前細テーパであり、該後部領域に隣接した前側領域の内面が前細テーパであり、前記後部領域内面が前細テーパの場合は、前記前側領域内面の方が急テーパであり、前記前側領域内面の適宜位置には、適宜高さを有し、円周方向に離散した複数個の凸部の夫々が位置しており、後側竿杆の雄側継合部に属する少なくとも後側領域の外面が前細テーパであり、前記後部領域内面が前細テーパの場合は、該雄側継合部の前記前細テーパの方が急テーパであり、前記複数個の凸部は、前記雄側継合部の前端部が当接する前後方向適宜長さの当接範囲を有しており、前記前端部が前記当接範囲の後端に位置している場合は、雌側継合部の後端部内面は雄側継合部外面との間に隙間を有しており、雄側継合部の前記後側領域の外面が雌側継合部の後端部内面と当接する場合、前記前端部は前記当接範囲内に位置していることを特徴とする継式釣竿がある。
【００１１】
第２発明では、第４の形態例発明として、逆並継式継合部を有する継式釣竿であって、前側竿杆と後側竿杆が逆並継式に継ぎ合わせられる前記前側竿杆の雌側継合部の内面が前細テーパであり、該雌側継合部内面の適宜位置には、適宜高さを有し、円周方向に離散した複数個の凸部が設けられており、後側竿杆の雄側継合部に属する少なくとも後側領域の外面が前細テーパであり、前記雌側継合部内面の前細テーパよりも該雄側継合部の前記前細テーパの方が急テーパであり、前記複数個の凸部は、前記雄側継合部の前端部が当接する前後方向適宜長さの当接範囲を有しており、前記前端部が前記当接範囲の後端に位置している場合は、雌側継合部の後端部内面は雄側継合部外面との間に隙間を有しており、雄側継合部の前記後側領域の外面が雌側継合部の後端部内面と当接する場合、前記前端部は前記当接範囲内に位置していることを特徴とする継式釣竿がある。
【発明の効果】
【００１２】
第１の形態例発明では、複数個の凸部は円周方向に離散状の配置であるため、雄側継合部の後端部が凸部に当接（押圧）しても、該後端部は雌側継合部の全周と当接状態になるわけではなく隙間を有するため、当接状態を保持しつつ雌側継合部の横断面形状が容易に変形できる。従って、後端部の当接状態を維持しつつ雄側継合部を雌側継合部の中に（後方に）容易に押し込める。押し込んで行くと、後細テーパである雄側継合部外面がやがて雌側継合部の先端部内面と当接する。この位置においても雄側継合部の後端部は凸部に当接している。即ち、この位置では、雄側継合部の後端部が雌側継合部の内側（凸部）に当接しており、一方、雌側継合部の先端部は雄側継合部外面と当接しているのであり、継合領域の前後方向両端位置において雌雄が当接し合っている。このため、当該継合部においてガタが無くなり、鳴きを防止できる。また、継ぎ合わせ状態が安定するし、雌雄両部は互いに部分的にしか押圧し合わず、凸部は円周方向に離散的でもあるため固着が防止される。更には、上記したように、雄側継合部を押し込んで凸部と最初に当接した状態からも容易に押し込め、やがて雌側継合部の先端部内面と当接して押圧状態になって継ぎ合わせ操作が完了するが、この最後の雌側継合部先端部内面との押圧状態で強い継ぎ合わせ感が得られる。従って、継ぎ合わせ操作感が良好である。
【００１３】
第２の形態例発明は、並継式継合部の雌側継合部内面全体が１つの後細テーパの場合であることが第１の形態例発明と異なるが、その作用効果は同様である。
第３の形態例発明は、第１の形態例発明の並継式継合部の前後方向を反対にした逆並継式継合部に関する発明であり、その意味で作用効果は第１の形態例発明と同様である。
第４の形態例発明は、第２の形態例発明の並継式継合部の前後方向を反対にした逆並継式継合部に関する発明であり、その意味で作用効果は第２の形態例発明と同様である。
【図面の簡単な説明】
【００１４】
【図１】第１の発明の第１の形態例発明に係る継式釣竿の継ぎ合わせ途中の要部拡大縦断面図である。
【図２】継ぎ合わせ完了状態の要部拡大断面図である。
【図３】図２の矢視線Ｃ−Ｃによる拡大横断面図である。
【図４】第２の形態例発明の実施形態例であり、継ぎ合わせ完了状態の要部拡大断面図である。
【図５】第２の形態例発明の他の実施形態例であり、継ぎ合わせ完了状態の要部拡大断面図である。
【発明を実施するための形態】
【００１５】
以下、本発明を図面を参照しつつ詳細に説明する。図１は本発明に係る継式釣竿の並継式継合部の継ぎ合わせ途中の拡大縦断面図、図２は継ぎ合わせ完了時の拡大縦断面図、図３は図２の矢視線Ｃ−Ｃによる横断面図である。後側竿杆１０も前側竿杆２０も、エポキシ樹脂等の合成樹脂マトリックスを炭素繊維等の強化繊維で強化した繊維強化樹脂製竿杆であり、ここでは管状竿杆である。後側竿杆１０の先側領域である雌側継合部１０ＡＢは、ストレートな先部領域内面１０Ａと、これに隣接した後細テーパの後側領域内面１０Ｂとを有している。
【００１６】
上記後側領域内面１０Ｂには、該内面からの突出高さｔを最大とし、この位置から後側竿杆１０の中心軸線Ｊに平行な平面１２Ｓを内面として有する凸部１２を、円周方向に複数箇所（この例では４箇所）分散して設けている。この例では９０度毎の等間隔に設けているが、非等間隔でもよい。前記高さｔの位置から前側の前側面１２Ｇは、前方に向かってその高さを漸減させつつ傾斜させて雌側継合部内面に滑らかに連続している。この前側面の存在により、継ぎ合わせの際に前側竿杆２０の後端部２０Ｅが凸部１２に引っ掛かることを防止できる。従って、継ぎ合わせ作業が円滑になる他、凸部が欠損することを防止できる。
【００１７】
凸部１２の平面１２Ｓの前後方向長さ領域（当接領域）Ｌは前記後側領域内面１０Ｂの範囲内に位置している。継ぎ合わせの際に前側竿杆の（雄側継合部の）後端部２０Ｅが平面１２Ｓ（の前端）にまで押し込まれて位置すると、該後端部と平面とが互いに当接する内外径寸法に構成されている。この図１の位置では、雌側継合部１０ＡＢの先端部内面は雄側継合部外面２０Ａとの間に隙間δを有している。この位置から前側竿杆の雄側継合部を更に押し込めば、図２の位置状態となる。即ち、雌側継合部１０ＡＢの先端部内面縁全周が雄側継合部外面２０Ａ全周と実質的に当接、押圧状態となる。この位置では、後端部１２Ｅは当接領域Ｌの範囲内に位置して凸部の内面１２Ｓに当接して押圧状態にある。この雄側継合部の後端部が凸部１２の内面１２Ｓと当接して押圧状態になった場合、凸部１２は幾分か押し潰されているが、継ぎ合わせを解除すれば実質的に元に戻る。即ち、この継ぎ合わせ状態の範囲では弾性変形可能である。また、こうした継ぎ合わせ状態では、凸部のみならず、当該雌側継合部の横断面も幾分拡径しつつ変形する。
【００１８】
上記図２の状態が継ぎ合わせ完了状態であり、後側竿杆と前側竿杆の継ぎ合わせ重合領域の前端部と後端部とが、夫々、当接した押圧状態であるため、釣竿が撓んだ際の鳴きを防止できる。また、継合部の前後２箇所で押圧した係合状態であるため、継ぎ合わせ状態が安定する他、各押圧箇所は、実質的に広い面接触となることなく、点接触や線接触状態といえ、これら前後箇所の間の空間隙間も、円周方向に隣接した凸部間の円周方向隙間を介して管状である後側竿杆１０の内部空間に連通しているため、固着が防止される。ここで述べる点接触、線接触は、既述の特許文献１と同様に、多少の面積広がりを有する。
【００１９】
上記当接領域Ｌは平面１２Ｓの例として説明したが、図３に示す横断面において、０よりも大きな曲率を有する曲面でもよいが、雄側継合部外面２０Ａと同じ曲率となって面接触となることを避け、それよりも小さな曲率が好ましい。また、当接領域Ｌの平面１２Ｓは中心軸線Ｊと平行として説明したが、後方側が中心軸線に近づく方向に傾斜していてもよい。更には、横断面において曲率を有する曲面の場合においても同様に、図１や図２に示す側面図において中心軸線Ｊに対して傾斜していてもよい。
【００２０】
既述の凸部の突出高さｔを５０μｍ程度に小さくする場合、当接領域Ｌの十分な長さを確保するために、後側領域内面１０Ｂのテーパ率を充分に小さくする必要がある。例えば２．５／１０００程度である。突出高さｔを２０〜８０μｍの範囲内とすると、同テーパ率は１．０／１０００〜８．０／１０００程度の範囲内にするとよい。この場合、雄側継合部外面２０Ａのテーパ率も同程度にする。即ち、テーパ率の範囲は１．０／１０００〜８．０／１０００程度である。また、先部領域内面１０Ａをストレートとして説明したが、雄側継合部外面２０Ａのテーパ率よりも小さなテーパ率で緩いテーパにしてもよい。当接領域Ｌの長さは、２０〜５０ｍｍ程度を確保するとよい。既述の隙間δは、例えば４０μｍ程度にするとよい。
【００２１】
また、上記形態例では、前側竿杆２０の雄側継合部外面２０Ａは１つのテーパ率のテーパ面であるが、この雄側継合部外面の前側領域をこのテーパ形状とし、その後側領域外面はストレートとしてもよい。その他、ここでいう後側領域外面が前側領域とテーパ率の異なるテーパの場合や、前側領域と同じテーパ率のテーパの場合、即ち、雄側継合部の外面全体が一定のテーパ率の場合でもよい。
また、以上は並継式釣竿の形態例であるが、図１や図２の前後を反対にした形態の場合は、上記変形例の場合も含めて逆並継式釣竿（第２の発明）の説明となる。
【００２２】
図４は、本発明に係る第２の形態例発明の実施形態例であり、継ぎ合わせが完了した状態の図である。後側竿杆１０の雌側継合部１０ＡＢの内面はその全体が後細テーパである。前側竿杆２０の雄側継合部２０ＡＢは、その前側領域の外面２０Ａが後細テーパであり、その後側領域の外面２０Ｂがストレートの例であるが、該外面２０Ｂは前記外面２０Ａよりも小さなテーパ率、或いは大きなテーパ率のテーパであってもよい。前記外面２０Ａは、雌側継合部１０ＡＢの内面のテーパよりも急テーパである。雌側継合部１０ＡＢの内面の適宜位置には、第１の形態例発明の例で説明したものと同様な凸部１２が設けられている。その内面１２Ｓは雄側継合部２０ＡＢの後端部２０Ｅが当接する前後方向適宜長さの当接範囲Ｌを有している。
図４の前後を反対にすれば、逆並継式釣竿（第２の発明）の実施形態例となる。
【００２３】
図５は、本発明に係る第２の形態例発明の他の実施形態例であり、継ぎ合わせが完了した状態の図である。図４の場合と異なるのは、前側竿杆２０の雄側継合部全体の外面２０Ａが後細テーパとなっていることである。この外面２０Ａのテーパは雌側継合部１０ＡＢの内面テーパよりも急テーパである。
図５の前後を反対にすれば、逆並継式釣竿（第２の発明）の他の実施形態例となる。
【００２４】
凸部１２の形成方法は、竿杆１０を成形する際に、竿杆本体と同様な繊維強化樹脂を用いて一体形成するとよい。また、継合部の継ぎ合わせ力を大きくするためには、例えば、ガラス繊維の織布を、凸部１２の最内層に位置するように用いることで、当接領域Ｌの表面に微小な凹凸を形成して摩擦力を増大させてもよい。また、凸部１２の硬度を継合部１０ＡＢ位置の竿杆本体よりも軟質に設定すれば、継ぎ合わせ時の雄側継合部後端部２０Ｅの挿入移動を円滑にしやすくなる。また、円周方向の凸部１２の数は２個以上の任意である。また、一体形成ではなく、後から（別部材によって）凸部を形成してもよい。
【産業上の利用可能性】
【００２５】
本発明は管状竿杆部同士を継ぎ合わせる継式釣竿に利用できる。
【符号の説明】
【００２６】
１０                  後側竿杆
１０ＡＢ              雌側継合部
１０Ａ                先部領域内面
１０Ｂ                後側領域内面
２０                  前側竿杆
２０ＡＢ              雄側継合部
２０Ａ                雄側継合部外面
２０Ｅ                雄側継合部の後端部
【図１】
2011115176.tif 000003
【図２】
2011115176.tif 000004
【図３】
2011115176.tif 000005
【図４】
2011115176.tif 000006
【図５】
2011115176.tif 000007